(57)【特許請求の範囲】
【請求項１】
被払拭面を払拭するワイパーブレードとアームピースを介して連結される断面コ字形のリテーナの内側で、前記ワイパーブレードの前記被払拭面への押圧力を発生させる圧縮コイルばねを保持するストッパにおいて、
前記ストッパは、前記リテーナに形成された孔を通るリベットにより、前記圧縮コイルばねの弾発力に抗して前記リテーナに保持できるようになっており、
前記ストッパは、前記リベットが通る切欠きを有しており、該切欠きの側面を受け部として前記リベットを受けており、該切欠きは、前記圧縮コイルばねの弾発力の方向に開口する第１の開口部、又は、前記圧縮コイルばねの弾発力の方向に対して交差する方向に開口する第２の開口部の少なくとも一方を備えていることを特徴とするストッパ。
【請求項２】
請求項１に記載のストッパにおいて、
前記切欠きは、前記第１の開口部と前記第２の開口部を備え、略Ｌ字形状の受け部によって形成されており、該略Ｌ字形状の受け部により前記リベットを受けており、
前記圧縮コイルばねに当接させた前記ストッパを、前記リテーナの孔より前記圧縮コイルばねの弾発力の方向と反対の方向に圧縮させた状態で、前記孔にリベットを通して、前記ストッパを解放することにより、前記切欠きと前記孔との位置合せの必要のないことを特徴とするストッパ。
【請求項３】
請求項２に記載のストッパにおいて、
前記受け部は、前記第１の開口部と対向する第１の面と、前記第２の開口部と対向する第２の面とを備えており、
前記第１の面と前記第２の面とが作る角は、９０度であることを特徴とするストッパ。
【請求項４】
請求項１に記載のストッパにおいて、
前記切欠きは、前記第２の開口部を備えた略Ｕ字形状であり、該略Ｕ字形状の切欠きの側面を受け部として前記リベットを受けており、
前記圧縮コイルばねに当接させた前記ストッパの前記切欠きを、前記圧縮コイルばねの弾発力の方向で前記リテーナの孔と位置合せして、前記孔及び前記切欠きにリベットを通して、前記ストッパを固定することを特徴とするストッパ。
【請求項５】
請求項４に記載のストッパにおいて、
前記略Ｕ字形状の切欠きの開き角度は、前記リベットの直径を大きくしたとき、大きくするよう決定されることを特徴とするストッパ。
【請求項６】
請求項１に記載のストッパにおいて、
前記切欠きは、前記第１の開口部を備えた略Ｕ字形状であり前記圧縮コイルばねに当接させた前記ストッパの前記切欠きを、前記圧縮コイルばねの弾発力の方向に対して交差する方向で前記リテーナの孔と位置合せして、前記孔及び前記切欠きにリベットを通して、前記ストッパを固定することを特徴とするストッパ。
【請求項７】
請求項６に記載のストッパにおいて、
前記略Ｕ字形状の切欠きの開き角度は、前記リベットの直径を大きくしたとき、大きくするよう決定されることを特徴とするストッパ。
【請求項８】
被払拭面を払拭するワイパーブレードにアームピースを介して連結される断面コ字形のリテーナの内側で、前記ワイパーブレードの前記被払拭面への押圧力を発生させる圧縮コイルばねを保持するストッパ装置であって、
前記ストッパ装置は、
前記リテーナの内側に移動可能に配置され、前記圧縮コイルばねの弾発力を受けるストッパと、
前記圧縮コイルばねの弾発力に抗して、前記ストッパを前記リテーナに固定するリベットとを備え、
前記ストッパは、一端が前記リテーナに固定された前記圧縮コイルばねの他端に当接する当接部と、
前記圧縮コイルばねと前記リテーナの内側面との間にそれぞれ配置され、前記当接部を支持する一対の支持部とを含み、
前記支持部は、前記当接部に対して前記圧縮コイルばねと反対側端部に設けられた切欠きを有しており、該切欠きの側面を受け部として前記リベットを受けており、
前記ストッパは、前記切欠きが、前記リテーナに形成された孔に整合する位置に位置決めされ、前記リベットは、前記リテーナの孔と前記切欠きとを通して、前記ストッパを前記リテーナに固定しており、
前記切欠きは、前記圧縮コイルばねの弾発力の方向に開口する第１の開口部又は、前記圧縮コイルばねの弾発力の方向に対して交差する方向に開口する第２の開口部の少なくとも一方を備えていることを特徴とするストッパ装置。
【請求項９】
請求項８に記載のストッパ装置において、
前記切欠きは、前記第１の開口部と前記第２の開口部を備え、略Ｌ字形状の受け部によって形成されており、該略Ｌ字形状の受け部により前記リベットを受けており、
前記圧縮コイルばねに当接させた前記ストッパを、前記リテーナの孔より前記圧縮コイルばねの弾発力の方向と反対の方向に圧縮させた状態で、前記孔にリベットを通して、前記ストッパを解放することにより、前記切欠きと前記孔との位置合せの必要のないことを特徴とするストッパ装置。
【請求項１０】
請求項９に記載のストッパ装置において、
前記受け部は、前記第１の開口部と対向する第１の面と、前記第２の開口部と対向する第２の面とを備えており、
前記第１の面と前記第２の面とが作る角は、９０度であることを特徴とするストッパ装置。
【請求項１１】
請求項８に記載のストッパ装置において、
前記切欠きは、前記第２の開口部を備えた略Ｕ字形状であり、該略Ｕ字形状の切欠きの側面を受け部として前記リベットを受けており、
前記圧縮コイルばねに当接させた前記ストッパの前記切欠きを、前記圧縮コイルばねの弾発力の方向で前記リテーナの孔と位置合せして、前記孔及び前記切欠きにリベットを通して、前記ストッパを固定することを特徴とするストッパ装置。
【請求項１２】
請求項１１に記載のストッパ装置において、
前記略Ｕ字形状の切欠きの開き角度は、前記リベットの直径を大きくしたとき、大きくするよう決定されることを特徴とするストッパ装置。
【請求項１３】
請求項８に記載のストッパ装置において、
前記切欠きは、前記第１の開口部を備えた略Ｕ字形状であり、該略Ｕ字形状の切欠きの側面を受け部として前記リベットを受けており、
前記圧縮コイルばねに当接させた前記ストッパの前記切欠きを、前記圧縮コイルばねの弾発力の方向に対して交差する方向で前記リテーナの孔と位置合せして、前記孔及び前記切欠きにリベットを通して、前記ストッパを固定することを特徴とするストッパ装置。
【請求項１４】
請求項１３に記載のストッパ装置において、
前記略Ｕ字形状の切欠きの開き角度は、前記リベットの直径を大きくしたとき、大きくするよう決定されることを特徴とするストッパ装置。
【請求項１５】
被払拭面を払拭するワイパーブレードとアームピースを介して連結されるリテーナと、
該リテーナに対して回動可能に連結されるアームヘッドと、前記ワイパーブレードへの押し圧を発生させる圧縮コイルばねと、該圧縮コイルばねを前記リテーナに保持させるストッパと、前記ストッパを前記リテーナに保持させるリベットとを備えるワイパーアームにおいて、
前記ストッパは、前記リテーナに形成された孔を通るリベットにより、前記圧縮コイルばねの弾発力に抗して前記リテーナに保持できるようになっており、
前記ストッパは、前記リベットが通る切欠きを有しており、該切欠きの側面を受け部として前記リベットを受けており、該切欠きは、前記圧縮コイルばねの弾発力の方向に開口する第１の開口部、又は、前記圧縮コイルばねの弾発力の方向に対して交差する方向に開口する第２の開口部の少なくとも一方を備えていることを特徴とするワイパーアーム。
【請求項１６】
請求項１５に記載のワイパーアームにおいて、
前記切欠きは、前記第１の開口部と前記第２の開口部を備え、略Ｌ字形状の受け部によって形成されており、該略Ｌ字形状の受け部により前記リベットを受けており、
前記圧縮コイルばねに当接させた前記ストッパを、前記リテーナの孔より前記圧縮コイルばねの弾発力の方向と反対の方向に圧縮させた状態で、前記孔にリベットを通して、前記ストッパを解放することにより、前記切欠きと前記孔との位置合せの必要のないことを特徴とするワイパーアーム。
【請求項１７】
請求項１６に記載のワイパーアームにおいて、
前記受け部は、前記第１の開口部と対向する第１の面と、前記第２の開口部と対向する第２の面とを備えており、
前記第１の面と前記第２の面とが作る角は、９０度であることを特徴とするワイパーアーム。
【請求項１８】
請求項１５に記載のワイパーアームにおいて、
前記切欠きは、前記第２の開口部を備えた略Ｕ字形状であり、該略Ｕ字形状の切欠きの側面を受け部として前記リベットを受けており、
前記圧縮コイルばねに当接させた前記ストッパの前記切欠きを、前記圧縮コイルばねの弾発力の方向で前記リテーナの孔と位置合せして、前記孔及び前記切欠きにリベットを通して、前記ストッパを固定することを特徴とするワイパーアーム。
【請求項１９】
請求項１８に記載のワイパーアームにおいて、
前記略Ｕ字形状の切欠きの開き角度は、前記リベットの直径を大きくしたとき、大きくするよう決定されることを特徴とするワイパーアーム。
【請求項２０】
請求項１５に記載のワイパーアームにおいて、
前記切欠きは、前記第１の開口部を備えた略Ｕ字形状であり、該略Ｕ字形状の切欠きの側面を受け部として前記リベットを受けており、
前記圧縮コイルばねに当接させた前記ストッパの前記切欠きを、前記圧縮コイルばねの弾発力の方向に対して交差する方向で前記リテーナの孔と位置合せして、前記孔及び前記切欠きにリベットを通して、前記ストッパを固定することを特徴とするワイパーアーム。
【請求項２１】
請求項２０に記載のワイパーアームにおいて、
前記略Ｕ字形状の切欠きの開き角度は、前記リベットの直径を大きくしたとき、大きくするよう決定されることを特徴とするワイパーアーム。
【請求項２２】
被払拭面を払拭するワイパーブレードとアームピースを介して連結される断面コ字形のリテーナの内側で、前記ワイパーブレードの前記被払拭面への押圧力を発生させる圧縮コイルばねを保持するストッパにおいて、
前記ストッパは、前記リテーナに形成された孔を通るリベットにより、前記圧縮コイルばねの弾発力に抗して前記リテーナに保持できるようになっており、
前記ストッパは、前記リベットが通る凹状の切欠きを有しており、該凹状の切欠きの側面を受け部として前記リベットを受けていることを特徴とするストッパ。
【発明の詳細な説明】
【技術分野】
【０００１】
本発明は、圧縮コイルばね用のストッパに関するものであり、特に、リベットとの組付けを容易にするため、改良されたストッパと、このようなストッパを備えるワイパーアームとに関する。
【背景技術】
【０００２】
一般に、車両ワイパーは、ウィンドガラスなどの被払拭面を払拭するワイパーブレードと、該ワイパーブレードに連結されたワイパーアームとを備えており、ワイパーブレードは、ワイパーアームを介して駆動モーターにより、被払拭面に押圧された状態で被払拭面に沿って往復運動され、ブレードラバーにより被払拭面を払拭している。
【０００３】
図１に、この種の車両ワイパーに用いられているワイパーアームの一実施例を示している。図示されているワイパーアーム１は、アームピース２を介してワイパーブレード（図示せず）に連結されるリテーナ３と、リテーナ３に回動可能に連結されたアームヘッド５とを備えている。リテーナ３は、軸部４を介してアームヘッド５に連結されており、リテーナ３とアームヘッド５は、軸部４を中心にして互いに対して回動できるようになっている。
【０００４】
図２乃至図４には、従来技術のストッパを備えるリテーナ内部構造が示されている。図４において、上側である断面コ字形のリテーナ３の背面の方向を上、反対の方向を下とする。以下の説明においても、同様とする。リテーナ３は、断面コ字形をしており、その内部に長手方向に沿って圧縮コイルばね１０が配置されている。圧縮コイルばね１０は、そのばね力により、アームヘッド５に対してリテーナ３を回動方向に付勢しワイパーブレードへの押し圧を発生させる。リテーナ３の側壁には、リテーナ丸孔１４が設けられている。アームヘッド５のリテーナ３側端からは、リテーナ３に沿って、棒状部材１１が延びている。棒状部材１１は、その近位端に近い部分に、係止部６を有している。棒状部材１１は、圧縮コイルばね１０を貫通して延びており、圧縮コイルばね１０の一端は係止部６により固定される。圧縮コイルばね１０の他端は、ストッパ７を介してリテーナ３に固定されている。ストッパ７は、平行に並べられた一対の支持部８と、該支持部８の間に設けられた当接部１６とを備える。支持部８は、それぞれ、上部中央（図２においては底部）に凹部１８を有している。当接部１６には、圧縮コイルばね１０の他端が当接している。当接部１６は、凹部１６ａを有しており、棒状部材１１の先端が凹部１６ａを通って延びている。２枚の支持部８の側壁には、それぞれストッパ丸孔９が設けられている。ストッパ７は、リテーナ３の内側に配置され、圧縮コイルばね１０を当接部１６で受け、リテーナ３の内側にリベット１２にて保持されている。当接部１６の間を貫通した棒状部材１１の先端は、リベット１２のリテーナ側を通って延び、棒状部材１１は、リベット１２を越えて外部に飛び出ないように、リベット１２により下方向の動きが規制されている。
【０００５】
この従来技術のストッパ７をリベット１２でリテーナ３内に組み付けるには、圧縮コイルばね１０を圧縮させながら、ストッパ７のストッパ丸孔９をリテーナ３のリテーナ丸孔１４に対して長手方向及び上下方向に位置合せして、リベット１２をリテーナ丸孔１４とストッパ丸孔９とに通すことにより行われる。
【発明の開示】
【発明が解決しようとする課題】
【０００６】
しかしながら、従来のストッパのリテーナ内への組み付けには、リテーナ丸孔とストッパ丸孔とを合せるため、上下方向及び長手方向それぞれ位置合せをする必要があり、しかも圧縮ばねにはリベット１２の方向に相当の力が掛かっていることから、圧縮させながら位置合わせすると、組み付け作業が非常に困難となる、という問題があった。
【０００７】
また、これにより、組み付けに要する時間が長くなり、生産性の低下という問題があった。
【０００８】
本発明は、このような問題点に着目してなされたもので、リテーナ丸孔とストッパ丸孔とを合せるための位置合せの必要がなく、または、長手方向もしくは上下方向のどちらかの位置合せをするだけで良く、組み付けの作業を容易にする、改良されたストッパ、及びこのようなストッパを備えたワイパーアームを提供することを目的とする。
【課題を解決するための手段】
【０００９】
本発明は、被払拭面を払拭するワイパーブレードとアームピースを介して連結される断面コ字形のリテーナの内側で、ワイパーブレードの被払拭面への押圧力を発生させる圧縮コイルばねを保持するストッパにおいて、ストッパは、リテーナに形成された孔を通るリベットにより、圧縮コイルばねの弾発力に抗してリテーナに保持できるようになっており、ストッパは、リベットが通る切欠きを有しており、該切欠きは、圧縮コイルばねの弾発力の方向に開口する第１の開口部、又は、圧縮コイルばねの弾発力の方向に対して交差する方向に開口する第２の開口部の少なくとも一方を備えているストッパを提供するものである。
【００１０】
また、本発明は、被払拭面を払拭するワイパーブレードにアームピースを介して連結される断面コ字形のリテーナの内側で、ワイパーブレードの被払拭面への押圧力を発生させる圧縮コイルばねを保持するストッパ装置であって、ストッパ装置は、リテーナの内側に移動可能に配置され、圧縮コイルばねの弾発力を受けるストッパと、圧縮コイルばねの弾発力に抗して、ストッパをリテーナに固定するリベットとを備え、ストッパは、一端がリテーナに固定された圧縮コイルばねの他端に当接する当接部と、圧縮コイルばねとリテーナの内側面との間にそれぞれ配置され、当接部を支持する一対の支持部とを含み、支持部は、当接部に対して圧縮コイルばねと反対側端部に設けられた切欠きを有しており、ストッパは、切欠きが、リテーナに形成された孔に整合する位置に位置決めされ、リベットは、リテーナの孔と切欠きとを通して、ストッパをリテーナに固定しており、切欠きは、圧縮コイルばねの弾発力の方向に開口する第１の開口部又は、圧縮コイルばねの弾発力の方向に対して交差する方向に開口する第２の開口部の少なくとも一方を備えているストッパ装置を提供するものである。
【００１１】
さらに、本発明は、被払拭面を払拭するワイパーブレードとアームピースを介して連結されるリテーナと、該リテーナに対して回動可能に連結されるアームヘッドと、ワイパーブレードへの押し圧を発生させる圧縮コイルばねと、該圧縮コイルばねをリテーナに保持させるストッパと、ストッパをリテーナに保持させるリベットとを備えるワイパーアームにおいて、ストッパは、リテーナに形成された孔を通るリベットにより、圧縮コイルばねの弾発力に抗してリテーナに保持できるようになっており、ストッパは、リベットが通る切欠きを有しており、該切欠きは、圧縮コイルばねの弾発力の方向に開口する第１の開口部、又は、圧縮コイルばねの弾発力の方向に対して交差する方向に開口する第２の開口部の少なくとも一方を備えているワイパーアームを提供するものである。
【発明の効果】
【００１２】
本発明によれば、リテーナ丸孔とストッパ丸孔とを合せるため、位置合せの必要がなく、または、長手方向もしくは上下方向のどちらかの位置合せをするだけで良く、組み付けの作業を容易にする、という効果を奏することができる。
【００１３】
また、本発明に係るストッパを採用することにより、ストッパとリベットとの組み付け作業が容易になり、生産性が向上する、という効果を奏することができる。
【実施例】
【００１４】
以下、添付図面を参照して、本発明の各実施態様を説明する。なお、図１乃至図４に示した従来技術と同様な構成には同じ符号を付して、その説明を簡略あるいは省略する。
【００１５】
図５及び図６は、本実施形態における第一の実施例のワイパーアーム１の一部を示す。図６−Ｃにおいて、上側である断面コ字形のリテーナ３の背面の方向を上、反対の方向を下とする。以下の説明においても、同様とする。
【００１６】
ワイパーアーム１は、主として、被払拭面を払拭するワイパーブレード（図示せず）とアームピース２を介して連結されるリテーナ３と、該リテーナ３に対して回動可能に連結されるアームヘッド５と、ワイパーブレードへの押し圧を発生させる圧縮コイルばね１０と、該圧縮コイルばね１０をリテーナ３に保持させるストッパ７と、該ストッパ７をリテーナ３に保持させるリベット１２とを備える。
【００１７】
なお、ストッパ７とリベット１２とから、ストッパ装置が構成されている。
【００１８】
リテーナ３は、底面と両側の側面から断面コ字形状となっており、両側の側面には、リテーナ丸孔１４がそれぞれ設けられている。リテーナ３の内部には、長手方向に沿って圧縮コイルばね１０が配置されている。圧縮コイルばね１０は、そのばね力により、ワイパーブレードへの押し圧を発生させる。アームヘッド５のリテーナ３側端からは、その近位端に近い部分に係止部６を有する棒状部材１１が延びている。棒状部材１１は、圧縮コイルばね１０を通って延びており、圧縮コイルばね１０の一端は、係止部６に固定される。圧縮コイルばね１０の他端は、ストッパ７を介してリテーナ３に固定されている。圧縮コイルばね１０の他端は、圧縮コイルばね１０の一端よりも下側に位置決めされている。したがって、ストッパ７は、圧縮コイルばね１０により、アームピース２側で且つ下側、従って、図６Ｃで見て、図中、右下側に向けて押圧されており、リテーナ３は、圧縮コイルばね１０の押圧力に抗してこのストッパ７を保持している。
【００１９】
図７乃至図１０は、第一の実施例のストッパ７の詳細を示す。図７は、ストッパ７の底面図、図８はストッパ７の上面図である。図９はストッパ７の側面図であり、図１０はその正面図である。ストッパ７は、平行に並べられた一対の支持部８と、該支持部８の間に設けられた当接部１６とを備える。支持部８は、それぞれ、上部中央に凹部１８を有している。当接部１６には、圧縮コイルばね１０の他端が当接している。当接部１６は、凹部１６ａを有しており、棒状部材１１の先端が凹部１６ａを通って延びている。当接部１６は、圧縮コイルばねと直接的に係合する係合部２０と、該係合部２０の上端から延びており、係合部２０を２枚の支持部８の間で支える基盤部２２とを有する。凹部１６ａは、係合部２０の下方中央に設けられている。ストッパ７は、さらに、リベット１２が通る切欠き２４を有している。切欠き２４は、一対の支持部８のそれぞれに形成されており、当接部１６に対して圧縮コイルばね配置側と反対側端部に設けられている。切欠き２４は、ストッパ７の長手方向に沿った水平部２４ａ（第２の面）と、水平部２４ａに対して交差方向に延びる垂直部２４ｂ（第１の面）とからなる略Ｌ字形状の受け部によって形成されている。このようにして、略Ｌ字形状の受け部によって、切欠き２４は、略矩形状の開口部として構成されている。なお、水平部２４ａと垂直部２４ｂとの間を、円柱形状のリベット１２の外郭形状に沿った湾曲状にすることが好ましい。従って、切欠き２４は、圧縮コイルばね１０の弾発力の方向（または、リテーナ３の長手方向）に開口する第１の開口部２４ｃと、圧縮コイルばね１０の弾発力の方向に対して交差する方向（または、リテーナ３の長手方向に対して交差する方向）に開口する第２の開口部２４ｄとを有する。第１の面としての垂直部２４ｂは、第１の開口部２４ｃと対向しており、第２の面としての水平部２４ａは、第２の開口部２４ｄと対向している。
【００２０】
該ストッパ７は、図５及び図６に示すように、リテーナ３の内側に設けられている。さらに、圧縮コイルばね１０は、ストッパ７の２枚の支持部８の間に配置され、棒状部材１１が該圧縮コイルばね内を貫通するように、配置される。
【００２１】
以上のようにして、圧縮コイルばね１０は、その弾発力に抗して、棒状部材１１の係止部６と、ストッパ７の当接部１６とにより挟持されている。
【００２２】
ストッパ７とリベット１２をリテーナ３に組み付けるには、ストッパ７の係合部２０の凹部１６ａに棒状部材１１の先端を通して、係合部２０を圧縮コイルばね１０に係合させる。次いで、圧縮コイルばね１０を圧縮させる方向（すなわち、アームヘッド５側）にストッパ７を移動させる。そして、リテーナ丸孔１４の位置より圧縮コイルばねの弾発方向と反対方向に圧縮させた状態で、リテーナ丸孔１４にリベット１２を通す。そのあと、ストッパ７を解放すると、該ストッパ７は、圧縮コイルばね１０の弾発力により、リベット１２に向けて斜め下方向に移動し、リベット１２は、切欠き２４の第１の開口部２４ｃ又は第２の開口部２４ｄを通って、自動的に、略Ｌ字形状の受け部によって保持される。換言すれば、ストッパ７は、圧縮コイルばね１０の弾発力に抗してリベット１２に保持される。すなわち、ストッパ７は、圧縮コイルばね１０の弾発力に抗して、リベット１２を介してリテーナ３に保持されることになる。棒状部材１１の先端は、リベット１２にて、下方向の動きが規制されている。この様に、本実施形態のストッパ７によれば、切欠き２４とリテーナ丸孔１４とを位置合せした状態で、リベット１２をリテーナ丸孔１４に通す必要がなくなる。
【００２３】
第一の実施例の略Ｌ字上の受け部の開き角度、すなわち、水平部２４ａと垂直部２４ｂとが作る角度Ａは、適宜変えることができる。本実施例においては、該角度は９０度となっている。水平部２４ａを固定して、垂直部２４ｂを水平部２４ａに近づけていき、開き角度を小さいものとすることもできるし、垂直部２４ｂを固定して、水平部２４ａを垂直部２４ｂに近づけていき、開き角度を小さいものとすることもできる。また、水平部２４ａ及び垂直部２４ｂの両者を互いに近づけていき、開き角度を小さいものとすることもできる。開き角度は、リベット１２の直径等の諸要因により、適宜選択することができる。ストッパ７の切欠き２４が弾性形状の場合は、開口部がリベット１２の直径より小さい場合もある。
【００２４】
図１１及び図１２は、本実施態様における第二の実施例のワイパーアーム１の一部を示す。図１３乃至図１６は、第二の実施例のストッパ７を示す。図１３は、ストッパ７の底面図、図１４はストッパ７の上面図である。第一の実施例と異なる点は、ストッパ７の切欠き２４の形状である。第一の実施例と同様な構成には同じ符号を付して、その説明を簡略あるいは省略する。
【００２５】
ストッパ７は、リベット１２が通る切欠き２４を有している。切欠き２４は、一対の支持部８のそれぞれに形成されており、当接部１６に対して圧縮コイルばね配置側と反対側端部に設けられている。切欠き２４は、下方向に開口した開口部２４ｅと、リベット１２を案内するための案内部としての内側壁部２４ｆと、リベット１２を受ける受け部としての底壁部２４ｇとを有する断面形状が凹状の凹状部となっている。本実施例においては、受け部２４ｇは、円柱形状のリベット１２の外郭形状に沿った湾曲状にすることが好ましい。したがって、切欠き２４は、その断面形状が、全体として略U字形状をしていることが望ましい。切欠き２４の開口部２４ｅは、下方向、すなわち、断面コ字形のリテーナ３の開口部の方向に開口しており、この開口方向は、圧縮コイルばね１０の弾発力の方向に対して交差する方向に一致している。このように、切欠き２４の開口部２４ｅは、圧縮コイルばね１０の弾発力の方向に対して交差する方向に開口する第２の開口部２４ｄを構成している。開口部２４ｅ、案内部２４ｆ及び受け部２４ｇは、リベット１２の外径よりも若干大きな寸法形状をしており、リベット１２は、ストッパ７に対して相対的に、開口部２４ｅ及び案内部２４ｆを通って受け部２４ｇまで移動できるようになっている。
【００２６】
ストッパ７とリベット１２を組み付けるには、ストッパ７の係合部２０の凹部１６ａに棒状部材１１を通して、係合部２０を圧縮コイルばね１０に係合させる。次いで、圧縮コイルばね１０を圧縮させる方向にストッパ７を移動させる。そして、切欠き２４とリテーナ丸孔１４を圧縮コイルばねの弾発力の方向で位置合せして、これらにリベット１２を通す。したがって、リベット１２は、開口部２４ｅ、案内部２４ｆの周辺、又は受け部２４ｇの周辺のいずれかを通ることになる。その後、ストッパ７を解放すると、ストッパ７は、案内部としての内側壁部２４ｆにより図中、右側への移動が規制されていることから、内側壁部２４ｆに案内されて下方のみに移動し、リベット１２が受け部２４ｇに当接して移動を終了する。このようにして、切欠き２４とリベット１２は係合して、ストッパ７は、リベット１２により、圧縮コイルばね１０の弾発力に抗してリテーナ３に保持される。棒状部材１１の先端は、リベット１２にて、下方向の移動が規制されている。この様に、本実施形態のストッパ７によれば、圧縮コイルばね１０の弾発力の方向に対して交差する方向において、切欠き２４とリテーナ丸孔１４とを位置合せした状態で、リベット１２をリテーナ丸孔１４に通す必要がなくなる。
【００２７】
また、第二の実施例において、切欠き２４を、第１の開口部２４ｃの代わりに、圧縮コイルばね１０の弾発力の方向（換言すれば、アームピース側に向いた方向）に開口する第２の開口部２４ｄを有するようにしてもよい。切欠き２４は、同様に略U字形状をしていることが好ましい。
【００２８】
この場合、ストッパ７とリベット１２を組み付けるには、ストッパ７の係合２０の凹部１６ａに棒状部材１１を通して、係合部２０を圧縮コイルばね１０に係合させる。次いで、圧縮コイルばね１０を圧縮させる方向にストッパ７を移動させる。そして、切欠き２４とリテーナ丸孔１４を前記圧縮コイルばねの弾発力の方向に対して交差する方向で位置合せして、これらにリベット１２を通す。そのあと、ストッパ７を解放すると、ストッパ７は、下側への移動が規制されていることから、アームピース側のみに移動し、リベット１２が第二の開口部の受け部に当接して移動を終了する。このようにして、切欠き２４とリベット１２は係合して、ストッパ７は、リベット１２により、圧縮コイルばね１０の弾発力に抗してリテーナ３に保持される。棒状部材１１の先端は、リベット１２にて、下方向の移動が規制されている。この様に、本実施形態のストッパ７によれば、切欠き２４とリテーナ丸孔１４との、圧縮コイルばね１０の弾発力の方向での位置合せの必要がなくなる。
【００２９】
第二の実施例の場合と同様に、略Ｕ字上の切欠き２４の開き角度、すなわち、リベット１２の中心と案内部２４ｆの外壁端とを通る直線と、リベット１２の中心と他方の案内部２４ｆの外壁端とを通る直線との間をなす角度Ｂは、適宜変えることができる。開き角度は、リベット１２の直径等の諸要因により、適宜選択することができる。ストッパ７の切欠き２４が弾性形状の場合は、開口部がリベット１２の直径より小さい場合もある。
【００３０】
図１７乃至２０には、本実施態様における第三の実施例のワイパーアーム１の一部であるストッパ７を示す。図１７は  ストッパ７の上面図、図１８はストッパ７の側面図である。図１９は、ストッパ７のアームヘッド５側から見た正面図、図２０は、ストッパのアームピース側から見た正面図である。第一の実施例と同様な構成には同じ符号を付して、その説明を簡略あるいは省略する。
【００３１】
ストッパ７の支持部８は、当接部１６側とは反対の端部に、垂直内側に延びる延長部２６を有する。延長部２６には、リテーナ３の内壁と当接する脚部２８が設けられている。また、基盤部２２にも、リテーナ３の内壁と当接する脚部２８が設けられている。ストッパ７は、リベット１２が通る切欠き２４を有している。切欠き２４は、一対の支持部８のそれぞれに形成されており、当接部１６に対して圧縮コイルばね配置側と反対側端部に設けられている。切欠き２４は、第１の開口部２４ｃと第２の開口部２４ｄとを有している。第１の開口部２４ｃは、第１の傾斜面２４ｈと、該第１の傾斜面２４ｈのリベット１２と係合する側と反対側の端部３０とで、部分的に形成されている。第２の開口部２４ｄは、第２の傾斜面２４ｉと、該第２の傾斜面２４ｉのリベット１２と係合する側と反対側の端部３２とで、部分的に形成されている。第１の開口部２４ｃと第２の開口部２４ｄとは、連通している。端部３０及び３２は、リベット１２が入りやすいように、丸みを帯びた形状になっている。第１の傾斜面２４ｈと第２の傾斜面２４ｉとの間にある底壁部２４ｇは、円柱形状のリベット１２の外郭形状に沿った湾曲状にすることが好ましい。
【００３２】
ストッパ７とリベット１２をリテーナ３に組み付けるには、第一の実施例と同様に、ストッパ７の係合部２０の凹部１６ａに棒状部材１１の先端を通して、係合部２０を圧縮コイルばね１０に係合させる。次いで、圧縮コイルばね１０を圧縮させる方向（すなわち、アームヘッド５側）にストッパ７を移動させる。そして、リテーナ丸孔１４の位置より圧縮コイルばねの弾発方向と反対方向に圧縮させた状態で、リテーナ丸孔１４にリベット１２を通す。そのあと、ストッパ７を解放すると、該ストッパ７は、圧縮コイルばね１０の弾発力により、リベット１２に向けて斜め上方向に移動し、リベット１２は、切欠き２４の第１の開口部２４ｃ又は第２の開口部２４ｄを通って、自動的に、切欠き２４の底壁部２４ｇに当接して、切欠き２４に保持される。換言すれば、ストッパ７は、圧縮コイルばね１０の弾発力に抗してリベット１２に保持される。すなわち、ストッパ７は、圧縮コイルばね１０の弾発力に抗して、リベット１２を介してリテーナ３に保持されることになる。棒状部材１１の先端は、リベット１２にて、下方向の動きが規制されている。この様に、本実施形態のストッパ７によれば、切欠き２４とリテーナ丸孔１４とを位置合せした状態で、リベット１２をリテーナ丸孔１４に通す必要がなくなる。
【００３３】
第三の実施例の切欠きの開き角度、すなわち、第１の傾斜面２４ｈと第２の傾斜面２４ｉとが作る角度Ｃは、適宜変えることができる。開き角度は、リベット１２の直径等の諸要因により、適宜選択することができる。
【００３４】
以上のように、本実施形態によれば、切欠き２４とリテーナ丸孔１４との位置合せの必要がなく、または、長手方向もしくは上下方向のどちらかの位置合せをするだけで良く、組み付けの作業が容易になるという効果を奏することができる。
【００３５】
また、本発明に係るストッパを採用することにより、ストッパとリベットとの組み付け作業が容易になり、生産性が向上する、という効果を奏することができる。
【図面の簡単な説明】
【００３６】
【図１】従来技術のワイパーアームの斜視図である。
【図２】従来技術のストッパの側面図である。
【図３】従来技術のワイパーアームの一部の底面図である。
【図４】従来技術のワイパーアームの一部の側面図である。
【図５】第一の実施例のワイパーアームの一部の底面図である。
【図６−Ａ】同じく、ワイパーアームの側面図である。
【図６−Ｂ】同じく、ワイパーアームの側面図である。
【図６−Ｃ】同じく、ワイパーアームの一部の側面図である。
【図７】同じく、ストッパの底面図である。
【図８】同じく、ストッパの上面図である。
【図９】同じく、ストッパの側面図である。
【図１０】図９の正面図である。
【図１１】第二の実施例のワイパーアームの一部の底面図である。
【図１２−Ａ】同じく、ワイパーアームの側面図である。
【図１２−Ｂ】同じく、ワイパーアームの側面図である。
【図１２−Ｃ】同じく、ワイパーアームの一部の側面図である。
【図１３】同じく、ストッパの底面図である。
【図１４】同じく、ストッパの上面図である。
【図１５】同じく、ストッパの側面図である。
【図１６】図１５の正面図である。
【図１７】第三の実施例のストッパの上面図である。
【図１８】同じく、ストッパの側面図である。
【図１９】同じく、ストッパのアームヘッド側から見た正面図である。
【図２０】同じく、ストッパのアームピース側から見た正面図である。
【符号の説明】
【００３７】
１      ワイパーアーム            ２      アームピース
３      リテーナ                  ４      軸部                  
５      アームヘッド              ６      係止部
７      ストッパ                  ８      支持部                    
９      ストッパ丸孔              １０    圧縮コイルばね              
１１    棒状部材                  １２    リベット                  
１４    リテーナ丸孔              １６    当接部
１６ａ  凹部                      １８    凹部                    
２０    係合部                    ２２    基盤部                  
２４    切欠き                    ２４ａ  水平部        
２４ｂ  垂直部                    ２４ｃ  第１の開口部            
２４ｄ  第２の開口部              ２４ｅ  開口部                  
２４ｆ  内側壁部                  ２４ｇ  底壁部
２４ｈ  第１の傾斜面              ２４ｉ  第２の傾斜面
２６    延長部                    ２８    脚部
３０    端部                      ３２    端部
Ａ      開き角度                  Ｂ      開き角度
Ｃ      開き角度
【図１】
0004814691.tif 000002
【図２】
0004814691.tif 000003
【図３】
0004814691.tif 000004
【図４】
0004814691.tif 000005
【図５】
0004814691.tif 000006
【図６−Ａ】
0004814691.tif 000007
【図６−Ｂ】
0004814691.tif 000008
【図６−Ｃ】
0004814691.tif 000009
【図７】
0004814691.tif 000010
【図８】
0004814691.tif 000011
【図９】
0004814691.tif 000012
【図１０】
0004814691.tif 000013
【図１１】
0004814691.tif 000014
【図１２−Ａ】
0004814691.tif 000015
【図１２−Ｂ】
0004814691.tif 000016
【図１２−Ｃ】
0004814691.tif 000017
【図１３】
0004814691.tif 000018
【図１４】
0004814691.tif 000019
【図１５】
0004814691.tif 000020
【図１６】
0004814691.tif 000021
【図１７】
0004814691.tif 000022
【図１８】
0004814691.tif 000023
【図１９】
0004814691.tif 000024
【図２０】
0004814691.tif 000025